(57)【特許請求の範囲】
【請求項１】
対向する第１シートと第２シートとが分離した主開口部を形成され、且つ第１シートと第２シートとが前記主開口部に交差する側縁部のうち一方の側縁部及び底部において連結された、袋状部と、
前記袋状部の主開口部ののびる方向に形成された主ファスナ部とを備え、
前記主ファスナ部は、主開口部ののびる方向に移動するスライダを備え、
前記袋状部は、主開口部に交差する側縁部のうち他方の側縁部側において、底部に近い領域が連結された袋状側縁部と、主開口部に近い領域が前記主開口部に連続して開口するように第１シートと第２シートとが別体のまま分離した副開口部とを有し、
前記副開口部は、前記第１シートの他方の側縁部とそれに対向する第２シートの他方の側縁部とを連結するための副開口連結部が形成され、
前記副開口連結部は、前記スライダを移動して閉じた主開口部を開き始める開始端の側である前記第１シートの他方の側縁部に付着された連結材と、前記スライダを移動して閉じた主開口部を開き始める開始端の側である前記第２シートの他方の側縁部に付着された連結材とにより構成され、
一方の連結材は、他方の側縁部に平行にのびる、凸条を形成され、他方の連結材は、他方の側縁部に平行にのびる、凹条を形成され、一方の連結材と他方の連結材とは下端部において連結され、
前記主開口部及び副開口部は、前記副開口連結部の凸条と凹条とを係合又は嵌合させ前記主ファスナ部と協働させて、袋状部の開口領域を閉塞することができるとともに、開始端より主ファスナ部のスライダを移動させ且つ係合又は嵌合されて閉じられた副開口連結部を脱係又は脱嵌させて開口領域を開口させるように構成された、収納用ケース。
【請求項２】
前記第１シート及び／又は第２シートの長手方向における端に、前記主ファスナ部のスライダを止めるためのストッパを形成され、
前記ストッパは、前記スライダを移動して閉じた主開口部を開き始める側に形成され、
前記副開口部は、前記スライダを移動して閉じた主開口部を開き始める開始端の側である前記第１シートの側縁部の内面に付着された連結材と、前記スライダを移動して閉じた主開口部を開き始める開始端の側である前記第２シートの側縁部の内面に付着された連結材とにより構成され、
前記第１シート側の連結材の基材と前記第２シート側の連結材の基材とは、下端部において屈曲自在に連結されており、
主開口部と副開口部とは、一体的に開口するように形成された、請求項１に記載の収納用ケース。
【請求項３】
前記副開口連結部は、前記スライダを移動して閉じた主開口部を開き始める開始端の側である前記第１シートの側縁部に付着された連結材と、前記スライダを移動して閉じた主開口部を開き始める開始端の側である前記第２シートの側縁部に付着された連結材により構成され、第１シート及び第２シートの副開口部に、連続的又は間欠的に形成され、
前記一方の連結材は、弾力性を有する合成樹脂で一体成形されており、帯状の基材の表面に、断面略球状の頭部を有している凸条が形成され、
前記他方の連結材は、弾力性を有する合成樹脂で一体成形されており、帯状の基材の表面に、凸条の頭部を弾性的に保持する凹条が形成され、
前記連結材の帯状の基材は、側縁部に平行にのびるように、第１シート及び第２シートの内面に帯状の基材の下面を接合して溶着され、
前記連結材の凸条と連結材の凹条とは、副開口部を閉じるときには係合又は嵌合し、副開口部を開くときには脱係又は脱嵌するように構成されている、請求項１又は２に記載の収納用ケース。
【発明の詳細な説明】
【技術分野】
【０００１】
この発明は、収納用ケースに関し、特に、たとえば開口部にファスナが設けられた袋状の収納用ケースに関する。
【背景技術】
【０００２】
従来の収納用ケースは、略方形のシート材を二枚厚に重ね合わせて連続する二縁が閉塞側として形成される一方、これら閉塞側と対角位置となる二縁が開放側として形成された表裏一対のケース面と、これらケース面の各開放側に設けられた表裏一対のファスナー片と、各ファスナー片を跨ぐように装着されて表裏のファスナー片間を開閉可能とするスライダとを備えている。そして、この収納ケースは、前記表裏一対のファスナー片が、それぞれ単一のファスナー片を折り曲げて形成され、当該折り曲げられた内角形状が略直交する直線状に設けられ、スライダと書類との位置的な干渉がなく、且つ、スライダがファスナー片から不用意に脱落する虞を防止できる。
【０００３】
【特許文献１】特開平１１−１７０７５４号公報
【発明の開示】
【発明が解決しようとする課題】
【０００４】
この従来の収納用ケースは、表裏一対のケース面の開放側に設けられたファスナ片が、凹条と凸条とを嵌合して開放側を閉塞するように構成されているが、不用意に凹条と凸条と嵌合部分が脱嵌して開放し、ケース内に収納されていた物品が開放した箇所から抜け落ちることがある。
一方の縁を開いた状態で品物を出し入れする際、開口部に不用意な力が加わると連続している他縁部も開いてしまう。収納する品物は大小混在する場合があるため、不用意に開いた際、小さな品物はこぼれ落ちることがある。
一方、収納用ケースに物品を入れるときには、開放側をできるだけ広くして物品の出し入れを容易にしたいという要望がある。
それゆえに、この発明の主たる目的は、比較的広く開口部を形成し且つ不用意に開口部が開くことがない収納用ケースを提供することである。
【課題を解決するための手段】
【０００５】
この発明にかかる収納用ケースは、対向する第１シートと第２シートとが分離した主開口部を形成され、且つ第１シートと第２シートとが前記主開口部に交差する側縁部のうち一方の側縁部及び底部において連結された、袋状部と、前記袋状部の主開口部ののびる方向に形成された主ファスナ部とを備え、前記主ファスナ部は、主開口部ののびる方向に移動するスライダを備え、前記袋状部は、主開口部に交差する側縁部のうち他方の側縁部側において、底部に近い領域が連結された袋状側縁部と、主開口部に近い領域が前記主開口部に連続して開口するように第１シートと第２シートとが別体のまま分離した副開口部とを有し、前記副開口部は、前記第１シートの他方の側縁部とそれに対向する第２シートの他方の側縁部とを連結するための副開口連結部が形成され、前記副開口連結部は、前記スライダを移動して閉じた主開口部を開き始める開始端の側である前記第１シートの他方の側縁部に付着された連結材と、前記スライダを移動して閉じた主開口部を開き始める開始端の側である前記第２シートの他方の側縁部に付着された連結材とにより構成され、一方の連結材は、他方の側縁部に平行にのびる、凸条を形成され、他方の連結材は、他方の側縁部に平行にのびる、凹条を形成され、一方の連結材と他方の連結材とは下端部において連結され、前記主開口部及び副開口部は、前記副開口連結部の凸条と凹条とを係合又は嵌合させ前記主ファスナ部と協働させて、袋状部の開口領域を閉塞することができるとともに、開始端より主ファスナ部のスライダを移動させ且つ係合又は嵌合されて閉じられた副開口連結部を脱係又は脱嵌させて開口領域を開口させるように構成された、収納用ケースである。
この発明の請求項２にかかる収納用ケースは、前記第１シート及び／又は第２シートの長手方向における端に、前記主ファスナ部のスライダを止めるためのストッパを形成され、前記ストッパは、前記スライダを移動して閉じた主開口部を開き始める側に形成され、前記副開口部は、前記スライダを移動して閉じた主開口部を開き始める開始端の側である前記第１シートの側縁部の内面に付着された連結材と、前記スライダを移動して閉じた主開口部を開き始める開始端の側である前記第２シートの側縁部の内面に付着された連結材とにより構成され、前記第１シート側の連結材の基材と前記第２シート側の連結材の基材とは、下端部において屈曲自在に連結されており、主開口部と副開口部とは、一体的に開口するように形成された、請求項１に記載の収納用ケースである。
この発明の請求項３にかかる収納用ケースは、前記副開口連結部は、前記スライダを移動して閉じた主開口部を開き始める開始端の側である前記第１シートの側縁部に付着された連結材と、前記スライダを移動して閉じた主開口部を開き始める開始端の側である前記第２シートの側縁部に付着された連結材により構成され、第１シート及び第２シートの副開口部に、連続的又は間欠的に形成され、前記一方の連結材は、弾力性を有する合成樹脂で一体成形されており、帯状の基材の表面に、断面略球状の頭部を有している凸条が形成され、前記他方の連結材は、弾力性を有する合成樹脂で一体成形されており、帯状の基材の表面に、凸条の頭部を弾性的に保持する凹条が形成され、前記連結材の帯状の基材は、側縁部に平行にのびるように、第１シート及び第２シートの内面に帯状の基材の下面を接合して溶着され、前記連結材の凸条と連結材の凹条とは、副開口部を閉じるときには係合又は嵌合し、副開口部を開くときには脱係又は脱嵌するように構成されている、請求項１又は２に記載の収納用ケースである。
【発明の効果】
【０００６】
この発明の収納用ケースは、対向する第１シートと第２シートとが分離した主開口部を形成され、且つ第１シートと第２シートとが前記主開口部に交差する側縁部のうち一方の側縁部及び底部において連結された、袋状部と、前記袋状部の主開口部ののびる方向に形成された主ファスナ部とを備え、前記主ファスナ部は、主開口部ののびる方向に移動するスライダを備え、前記袋状部は、主開口部に交差する側縁部のうち他方の側縁部側において、底部に近い領域が連結された袋状側縁部と、主開口部に近い領域が前記主開口部に連続して開口するように第１シートと第２シートとが別体のまま分離した副開口部とを有し、前記副開口部は、前記第１シートの他方の側縁部とそれに対向する第２シートの他方の側縁部とを連結するための副開口連結部が形成され、前記副開口連結部は、前記スライダを移動して閉じた主開口部を開き始める開始端の側である前記第１シートの他方の側縁部に付着された連結材と、前記スライダを移動して閉じた主開口部を開き始める開始端の側である前記第２シートの他方の側縁部に付着された連結材とにより構成され、一方の連結材は、他方の側縁部に平行にのびる、凸条を形成され、他方の連結材は、他方の側縁部に平行にのびる、凹条を形成され、一方の連結材と他方の連結材とは下端部において連結され、前記主開口部及び副開口部は、前記副開口連結部の凸条と凹条とを係合又は嵌合させ前記主ファスナ部と協働させて、袋状部の開口領域を閉塞することができるとともに、開始端より主ファスナ部のスライダを移動させ且つ係合又は嵌合されて閉じられた副開口連結部を脱係又は脱嵌させて開口領域を開口させるように構成され、主開口部と副開口部とを備えているので、開口部を比較的広くとり、物品の出し入れが容易となる。
そして、副開口部は、副開口連結部が形成されているので、不用意に開くことなく、副開口部を係合又は嵌合した後は、主開口部及び開口部を閉塞され且つ袋状部の側縁が連結されているので、閉塞状態を維持することができる。
しかも、左右両側縁部のうち一方の側縁部は連結され且つ他方の側縁部の底部に近い領域に袋状側縁部を形成されているので、小物等を完全に収納空間内に保管することができる。
主ファスナ部は、主開口部ののびる方向に移動するスライダを備え、副開口部は、前記スライダを移動したときに、閉じた主開口部を開き始める側縁部側に形成され、主開口部と副開口部とは、一体的に開口するように形成すれば、主開口部をファスナのスライダを移動させて開口するとともに副開口部の副開口連結部を脱係又は脱嵌することにより、主開口部と副開口部とを一体的に開口して、収納空間への物品の出し入れが容易になる。
副開口連結部は、第１シート及び第２シートの副開口部に、スライダを移動して閉じた主開口部を開き始める開始端の側である前記第１シートの他方の側縁部に付着された連結材と、前記スライダを移動して閉じた主開口部を開き始める開始端の側である前記第２シートの他方の側縁部に付着された連結材とにより構成され、一方の連結材は、他方の側縁部に平行にのびる、凸条を形成され、他方の連結材は、他方の側縁部に平行にのびる、凹条を形成され、一方の連結材と他方の連結材とは下端部において連結されれば、主ファスナ部を開口させるとともに副開口部の副開口連結部を脱係又は脱嵌をさせることによりはじめて開口させることができ、開口部を閉塞した状態においては、収納物品を小物等であっても収納空間内に保管することができる。
【０００７】
この発明の上述の目的、その他の目的、特徴および利点は、図面を参照して行う以下の発明を実施するための最良の形態の説明から一層明らかとなろう。
【発明を実施するための最良の形態】
【０００８】
図１は、この発明の収納用ケースの一例を示す斜視図解図であり、図２は、この発明の収納用ケースの開口部を開いた状態を示す斜視図解図であり、図３は、図１に示す収納用ケースの断面図解図であり、図４は、図１に示す収納用ケースの分解斜視図であり、図５は、副開口部の開いた状態を示す斜視図解図であり、図６は、副開口連結部の断面図解図である。
収納ケース１０は、平面長方形状の袋状部１２を含む。袋状部１２は、２枚の別体のシートすなわち第１シート１４と第２シート１６とによって形成される。
第１シート１４，第２シート１６は、たとえばポリプロピレンなどのポリオレフィン系樹脂の糸を編んだ布地によって形成される。第１シート１４，第２シート１６は、長辺の長さが同じで、第１シート１４の短辺１４ｂ，１４ｃと第２シート１６の短辺１６ｂ，１６ｃとの長さが異なる長方形となるように形成される。
ここで、一方の第１シート１４の短辺１４ｂ，１４ｃが、他方の第２シート１６の短辺１６ｂ，１６ｃより短く形成される。
そして、第１シート１４，第２シート１６の一方の長辺１４ｄ，１６ｄおよび２つの短辺１４ｂ，１４ｃ，１６ｂ，１６ｃが重ね合わされる。
第２シート１６の他方の長辺側１６ａは、第１シート１４に向かって折り返され、第１シート１４の一方の長辺１４ａと第２シート１６の他方の長辺１６ａとが対向するように配置される。
それにより、これらの第１シート１４の長辺１４ａと第２シート１６の他方の長辺１６ａとの間に、主開口部２６が形成される。
【０００９】
第１シート１４の長辺１４ａと、第２シート１６の長辺１６ａとが対向する主開口部２６には、主ファスナ部３０が取り付けられる。
主ファスナ部３０は、シートへの取り付け部３２ａ，３２ｂと、取り付け部３２ａ，３２ｂの間の開閉部３２ｃとで構成される。開閉部３２ｃは、たとえば咬み合わされることにより閉状態となる複数の咬合片３４と、咬合片３４上をスライドして咬合片３４を開閉させるためのスライダ４０とで構成される。
これらの取り付け部３２ａ，３２ｂおよび咬合片３４、スライダ４０などは、ポリプロピレンなどの合成樹脂で形成される。なお、取り付け部３２ａ，３２ｂが合成樹脂で形成されていれば、咬合片３４やスライダ４０は金属などの材料で形成されていてもよい。
そして、主ファスナ部３０の取り付け部３２ａ，３２ｂが、第１シート１４の長辺１４ａと、第２シート１６の長辺１６ａに沿って溶着されるとともに、主ファスナ部３０の長手方向の右端部が第１シート１４と第２シート１６との重ね合わせ部分に溶着され、溶着部１２ａ，１２ａが形成され、第１シート１４と第２シート１６とが対向する面側に収容空間を構成している。
【００１０】
そして、第１シート１４の一方の長辺１４ｄと第２シート１６の他方の長辺１６ｄ並びに第１シート１４の左側の短辺１４ｂの一部分と第２シート１６の左側の短辺１６ｂの一部分と及び第１シート１４の右側の短辺１４ｃ全体と第２シート１６の右側の短辺１６ｃ全体とに沿って溶着されて、袋状部１２の底部２０，左側縁部２２及び右側縁部２４を形成される。
したがって、袋状部１２の主ファスナ部３０に対向する位置にある長辺に溶着部１２ａが形成され、主ファスナ部３０の長手方向の両端側における短辺にそれぞれ溶着部１２ｂ，１２ｃが形成され、主ファスナ部３０とは反対側における長辺に溶着部１２ｄが形成される。
そして、主開口部２６ののびる方向に移動するスライダ４０をスライド移動させることにより、袋状部１２の主開口部２６が開閉する。
【００１１】
前記袋状部１２は、主開口部２６に交差する一方の側縁部である左側縁部２２を構成する第１シート１４の左側の短辺１４ｂ及び第２シート１６の左側の短辺１６ｂにおいて、底部２０に近い領域が溶着部１２ｂにより連結された袋状側縁部２２ａと、主開口部２６に近い領域が前記主開口部２６に連続して開口するように第１シート１４と第２シート１６とが別体のまま分離した副開口部２８とを有する。
【００１２】
前記副開口部２８は、第１シート１４の左側縁部２２とそれに対向する第２シート１６の左側縁部２２とを連結するための副開口連結部５０が形成され、副開口連結部２８を係合又は嵌合させるとともにファスナ部４０と協働させて、袋状部１２の開口領域を閉塞することができるように構成されている。
主ファスナ部３０は、主開口部２６ののびる方向にのび、主開口部２６ののびる方向に移動するスライダ４０により、開閉させられるが、副開口部２８は、閉じられた主開口部２６を開くためにスライダ４０を移動するときに開き始める開始端である左側縁部２２側に形成され、主開口部２６と副開口部２８とは、一体的に開口するように形成されている。
副開口連結部５０は、第１シート１４及び第２シート１６の副開口部２８に、連続的又は間欠的に形成されている。
【００１３】
この実施の形態においては、副開口部２８を開閉するための副開口連結部５０は、第１シート１４の左側縁部２２の近傍に付着された連結材５２と第２シート１６の左側縁部２２の近傍に付着された連結材５４とから構成されている。
連結材５２は、弾力性を有する合成樹脂で一体成形されており、帯状の基材５２ａの表面に凸条５２ｂが形成され、凸条５２ｂは、断面略球状の頭部を有している。
連結材５４は、弾力性を有する合成樹脂で一体成形されており、帯状の基材５４ａの表面に凹条５４ｂが形成され、断面略球状の受け部を有し、凸条５２ｂの頭部を弾性的に保持するように形成されている。
連結材５２の帯状の基材５２ａは、左側縁部２２の側縁に平行にのびるように、第１シート１４の内面に帯状の基材５２ａの下面を接合して溶着されており、連結部５４の帯状の基材５４ａは、左側縁部２２の側縁に平行にのびるように、第２シート１６の内面に帯状の基材５４ａの下面を接合して溶着されている。
連結材５２の凸条５２ｂと連結材５４の凹条５４ｂとは、副開口部２８を閉じるときには嵌合し、副開口部２８を開くときには脱嵌するように構成されている。
【００１４】
副開口連結部５０を構成する連結材５２と連結材５４とは、それぞれの基材５２ａと基材５２ｂとが下端部において屈曲自在に連結されており、副開口連結部５０の開閉を繰り返すことによる下端部分の破損を防ぐように構成されている。
【００１５】
この収納用ケース１０では、袋状部１２を構成する第１シート１４，第２シート１６として、ポリオレフィン系樹脂の糸を編んだ布地を使用しているため、高級感を有し、手触りの良好なものである。しかも、超音波溶着により袋状部１２が形成されるとともに、主ファスナ部３０が取り付けられるため、糸を編んで形成された布地を使用しているにもかかわらず縫製が不要であり、収納用ケース１０の製造が容易である。また、ポリオレフィン系樹脂としてのポリプロピレンなどは、製造時に原料に顔料を練り込んで着色するため、長期間使用しても退色しにくい収納用ケース１０を得ることができる。さらに、ポリプロピレンは、ナイロンやポリエステルなどに比べて比重が軽いため、軽量の収納用ケース１０とすることができる。また、ポリオレフィン系の材料は、焼却しても、ダイオキシンなどが発生せず、環境破壊の恐れも少ない。
【００１６】
なお、収納用ケース１０としては、第１シート１４と第２シート１６とが異なる色のものであってもよい。この場合、第１シート１４および第２シート１６の一方が、透明なシートであってもよい。さらに、製造時において、第１シート１４あるいは第２シート１６の一方が２色以上に形成されたものを用いれば、袋状部１２の一方の面が２色以上の収納用ケース１０を得ることができる。この場合、第１シート１４あるいは第２シート１６として、複数の色のシートを超音波溶着したものを用いることができる。さらに、第１シート１４および第２シート１６の両方について、２色以上のものを使用してもよい。この場合、第１シート１４および第２シート１６の両方について、複数の色のシートを超音波溶着したシートを使用すればよい。このような第１シート１４および第２シート１６を用いれば、袋状部１２の両面が２色以上の収納用ケース１０を得ることができる。
【００１７】
なお、袋状部１２の形状は平面長方形状に限らず、任意の形状に形成することができる。また、主ファスナ部の位置についても、図１における収納用ケース１０の第２シート１６の折り曲げ部に相当する位置に取り付けられてもよく、その取り付け位置は任意に変更可能である。
【００１８】
図７は、この発明の収納用ケースの他の例を示す斜視図解図であり、図８は、図７に示す収納用ケースの他の例の副開口部を開いた状態を示す斜視図解図であり、図９は、図７に示す収納用ケースの断面図解図であり、図１０は、図７に示す収納用ケースの分解斜視図であり、図１１は、副開口連結部の断面図解図である。
図７に示す収納用ケース１１０は、略四角形状の袋状部１１２を含む。
袋状部１１２は、たとえばポリプロピレンやポリエチレンなどのポリオレフィン系樹脂からなる略四角形状の２枚の別体のシート、すなわち第１シート１１４および第２シート１１６を含む。
これらの第１シート１１４および第２シート１１６は、重ね合わされ、第１シート１１４の１つの長辺１１４ｄと第２シート１１６の一つの長辺１１６ｄ並びに第２シート１１４の左側の短辺１１４ｂの一部と第２シート１１６の左側の短辺１１６ｂの一部と及び第１シート１１４の右側の短辺１１４ｃの全体と第２シート１１６の右側の短辺１１６ｃの全体とが超音波で溶着されて、底部１２０、右側縁部１２４及び左側縁部１２２を形成されている。
この袋状部１１２は、他の１つの長辺１１４ａと第２シート１６の長辺１１６ａが溶着されずに主開口部１２６を形成され、第１シート１１４と第２シート１１６とが対向する面側に収容空間を構成している。
【００１９】
袋状部１１２の主開口部１２６を有する長辺１１４ａ及び長辺１１６ａには、たとえばポリプロピレンやポリエチレンなどのポリオレフィン系樹脂からなるファスナが取り付けられて主ファスナ部１３０が形成されている。
すなわち、主ファスナ部１３０は、帯状の２つのシート部材１３２ａおよび１３２ｂを有する。これらのシート部材１３２ａおよび１３２ｂには、互いに嵌まり合うことができる嵌合開閉部１３４ａ，１３４ｂを構成する凸条部と凹溝とが形成される。
そして、主ファスナ部１３０のシート部材１３２ａおよび１３２ｂが、袋状部１１２の対向する２つの長辺１１４ａ及び長辺１１６ａの上端において、第１シート１１４の長辺１１４ａおよび第２シート１１６の長辺１１６ａにそれぞれ超音波で溶着される。
また、これらのシート部材１３２ａおよび１３２ｂには、嵌合開閉部１３４ａ，１３４ｂを構成する凸条部と凹溝とを嵌合したり外したりするためのスライダ１４０が取り付けられる。
そのため、主開口部１２６ののびる方向に移動するスライダ１４０をスライド移動することによって、主ファスナ部１３０のシート部材１３２ａおよび１３２ｂないし袋状部１１２の主開口部１２６を開閉することができる。
さらに、シート部材１３２ａおよび１３２ｂの長手方向における一端には、図７に示すように、スライダ１４０を止めるためのストッパ１３６ａが形成される。同様に、シート部材１３２ａおよび１３２ｂの長手方向における他端にも、スライダ１４０を止めるためのストッパ１３６ｂが形成される。これらのストッパ１３６ａおよび１３６ｂは、それぞれ、主ファスナ部１３０のシート部材１３２ａおよび１３２ｂを超音波で溶着することによって形成される。
【００２０】
袋状部１１２の主開口部１２６には、主ファスナ部１３０が形成される。主ファスナ部１３０は、透明な２枚のファスナ用シート部材１３２ａ，１３２ｂを含む。これらのファスナ用シート部材１３２ａ，１３２ｂの幅方向の一端には、嵌合開閉部１３４ａ，１３４ｂが形成される。これらの嵌合開閉部１３４ａ，１３４ｂを互いに嵌め合わせるされることによって、袋状部１１２の主開口部１２６を閉じることができる。
【００２１】
さらに、嵌合開閉部１３４ａ，１３４ｂには、スライダ１４０が取り付けられる。スライダ１４０は、嵌合開閉部１３４ａ，１３４ｂを挟むようにして取り付けられる。ここで、スライダ１４０は、一方側に動かすと嵌合開閉部１３４ａ，１３４ｂを互いに押し付けて嵌め合わせるように作用し、他方側に動かすと嵌合開閉部１３４ａ，１３４ｂを引き離すように作用する。したがって、主開口部１２６ののびる方向に移動するスライダ１４０をスライド移動させることにより、嵌合開閉部１３４ａ，１３４ｂ部分を開閉させることができる。
【００２２】
主ファスナ部１３０は、たとえばポリプロピレンなどの合成樹脂で形成される。なお、この主ファスナ部１３０においては、ファスナ用シート部材１３２ａ，１３２ｂの幅が大きめに形成され、ファスナ用シート部材１３２ａ，１３２ｂが袋状部１１２の開口部側において、第１シート１４及び第２シート１６の外側に配置される。そして、ファスナ用シート部材１３２ａ，１３２ｂは、嵌合開閉部１３４ａ，１３４ｂが形成されていない端部における溶着部１１２ａにおいて、第１シート１１４及び第２シート１１６に溶着される。
また、第１シート１１４及び第２シート１１６の開口部側端部において、ファスナ用シート部材１３２ａ，１３２ｂとが溶着される。
さらに、ファスナ用シート部材１３２ａ，１３２ｂの長手方向の右端部は、第１シート１１４及び第２シート１１６を溶着するのと同時に、溶着部１１２ｃで第１シート１１４及び第２シート１１６に溶着される。
従って、袋状部１１２の主ファスナ部１３０に対向する位置にある長辺に溶着部１１２ａ，１１２ａが形成され、主ファスナ部１３０の長手方向の両端側における短辺にそれぞれ溶着部１１２ｂ，１１２ｃが形成され、主ファスナ部１３０とは反対側における長辺に溶着部１１２ｄが形成される。
【００２３】
前記袋状部１１２は、主開口部１２６に交差する一方の側縁部である左側縁部１２２を構成する第１シート１１４の左側の短辺１１４ｂ及び第２シート１１６の左側の短辺１１６ｂにおいて、底部１２０に近い領域が溶着部１１２ｂにより連結された袋状側縁部１２２ａと、主開口部１２６に近い領域が前記主開口部１２６に連続して開口するように第１シート１１４と第２シート１１６とが分離した副開口部１２８とを有する。
【００２４】
前記副開口部１２８は、第１シート１１４の左側縁部１２２とそれに対向する第２シート１１６の左側縁部１２２とを連結するための副開口連結部１５０が形成され、副開口連結部１２８を係合又は嵌合させるとともにファスナ部１４０と協働させて、袋状部１１２の開口領域を閉塞することができるように構成されている。
主ファスナ部１３０は、主開口部１２６ののびる方向にのび、主開口部１２６ののびる方向に移動するスライダ１４０により、開閉させられるが、副開口部１２８は、閉じられた主開口部１２６を開くためにスライダ１４０を移動するときに開き始める開始端である左側縁部１２２側に形成され、主開口部１２６と副開口部１２８とは、一体的に開口するように形成されている。
副開口連結部１５０は、第１シート１１４及び第２シート１１６の副開口部１２８に、連続的又は間欠的に形成されている。
【００２５】
この実施の形態においては、副開口部１２８を開閉するための副開口連結部１５０は、第１シート１１４の左側縁部１２２の近傍に付着された連結材１５２と第２シート１１６の左側縁部１２２の近傍に付着された連結材１５４とから構成されている。
連結材１５２は、弾力性を有する合成樹脂で一体成形されており、帯状の基材１５２ａの表面に凸条１５２ｂが形成されている。
連結材１５４は、弾力性を有する合成樹脂で一体成形されており、帯状の基材１５４ａの表面に凹条１５４ｂが形成されている。
連結材１５２の帯状の基材１５２ａは、左側縁部１２２の側縁に平行にのびるように、第１シート１１４の内面に帯状の基材１５２ａの下面を接合して溶着されており、連結部１５４の帯状の基材１５４ａは、左側縁部１２２の側縁に平行にのびるように、第２シート１１６の内面に帯状の基材１５４ａの下面を接合して溶着されている。
連結材１５２の凸条１５２ｂと連結材１５４の凹条１５４ｂとは、副開口部１２８を閉じるときには嵌合し、副開口部１２８を開くときには脱嵌するように構成されている。
【００２６】
本発明は、前記実施の形態に限らず、この発明の思想に基づき変更することができる。
例えば、副開口連結部１５０を構成する連結材１５２及び連結材１５４は、上下に亘って一連のものではなく、図１２ないし図１４において示すように、副開口連結部２５０を構成する比較的短い連結材２５２及び連結材２５４を間欠的に副開口部１２８に形成してもよい。
連結材２５２は、弾力性を有する合成樹脂で一体成形されており、帯状の基材２５２ａの中央に凸条２５２ｂが突設され、凸条２５２ｂは、断面略球状の頭部を有している。
連結材２５４は、弾力性を有する合成樹脂で一体成形されており、帯状の基材２５４ａの両端に凹条を形成するための凹条部２５４ｂ及び凹条部２５４ｃが形成され、凹条部２５４ｂと凹条部２５４ｃとの間に凹条が形成されている。凹条は、断面略球状の受け部を有し、凸条２５２ｂの頭部を弾性的に保持するように形成されている。
また、図１５及び図１６において示すように、ファスナ用シート部材１３２ａ及びファスナ用シート部材１３２ｂの高さ方向の長さを比較的長くして、ファスナ用シート部材１３２ａ及びファスナ用シート部材１３２ｂに、副開口部１２８及び副開口連結部１５０を形成するようにしてもよい。
【００２７】
その他、副開口連結部１５０は、その形状を種々変更することができ、図１７において示すように、連結材１５４の凹条を構成する凹条部及び連結材１５２の凸条は、断面略球状ではなく、板状であってもよい。
また、ホック状、輪状と釣状との組み合わせからなるであってもよく、係合および／又は嵌合で連結され、連結されたものを脱係および／又は脱嵌できるものであればよい。
更に、主ファスナ部１３０の長さは、第１シート１１４及び第２シート１１６の長さよりも短く形成され、副開口部１２８が第１シート１１４及び第２シート１１６の上端縁に達するように形成してもよく、又、副開口連結部１５０が第１シート１１４及び第２シート１１６の上端縁に達するように形成してもよい。
【図面の簡単な説明】
【００２８】
【図１】この発明の収納用ケースの一例を示す斜視図解図である。
【図２】この発明の収納用ケースの開口部を開いた状態を示す斜視図解図である。
【図３】図１に示す収納用ケースの断面図解図である。
【図４】図１に示す収納用ケースの分解斜視図である。
【図５】副開口部の開いた状態を示す斜視図解図である。
【図６】副開口連結部の断面図解図である。
【図７】この発明の収納用ケースの他の例を示す斜視図解図である。
【図８】図７に示す収納用ケースの副開口部を開いた状態を示す斜視図解図である。
【図９】図７に示す収納用ケースの断面図解図である。
【図１０】図７に示す収納用ケースの分解斜視図である。
【図１１】図７に示す収納用ケースの副開口連結部の断面図解図である。
【図１２】この発明の収納用ケースの他の例を示す斜視図解図である。
【図１３】図１２に示す収納用ケースの開口部を開いた状態を示す斜視図解図である。
【図１４】図１２に示す収納用ケースの断面図解図である。
【図１５】この発明の収納用ケースの他の例を示す斜視図解図である。
【図１６】図１５に示す収納用ケースの副開口連結部の断面図解図である。
【図１７】この発明の収納用ケースの他の例を示す副開口連結部の斜視図解図である。
【符号の説明】
【００２９】
１０，１１０  収納用ケース
１２，１１２  袋状部
１４，１１４  第１シート
１６，１１６  第２シート
１４ａ，１６ａ，１４ｄ，１６ｄ，１１４ａ，１１６ａ，１１４ｄ，１１６ｄ  長辺
１４ｂ，１４ｃ，１６ｂ，１６ｃ，１１４ｂ，１１４ｃ，１１６ｂ，１１６ｃ  短辺
２０，１２０  底部
２２，１２２  左側縁部
２２ａ  袋状側縁部
２４，１２４  右側縁部
２６，１２６  主開口部
２８，１２８  副開口部
３０，１３０  主ファスナ部
１３２ａ，１３２ｂ  ファスナ用シート部材
３２ａ，３２ｂ  取り付け部
３２ｃ  開閉部
３４  咬合片
１３４ａ，１３４ｂ  嵌合開閉部
３６ａ，３６ｂ  ストッパ
４０，１４０  スライダ
５０，１５０  副開口連結部
５２，５４，１５２，１５４,２５２,２５４  連結材
５２ａ，５４ａ，１５２ａ，１５４ａ,２５２ａ,２５４ａ  基材
５２ｂ，１５２ｂ,２５２ｂ  凸条
５４ｂ，１５４ｂ,２５４ｂ,２５４ｃ  凹条
【図１】
0004769267.tif 000002
【図２】
0004769267.tif 000003
【図３】
0004769267.tif 000004
【図４】
0004769267.tif 000005
【図５】
0004769267.tif 000006
【図６】
0004769267.tif 000007
【図７】
0004769267.tif 000008
【図８】
0004769267.tif 000009
【図９】
0004769267.tif 000010
【図１０】
0004769267.tif 000011
【図１１】
0004769267.tif 000012
【図１２】
0004769267.tif 000013
【図１３】
0004769267.tif 000014
【図１４】
0004769267.tif 000015
【図１５】
0004769267.tif 000016
【図１６】
0004769267.tif 000017
【図１７】
0004769267.tif 000018